(57)【要約】      （修正有）【課題】金属火災及びＢ火災のいずれにも対応可能な粉末消火薬剤散布器を得る。【解決手段】レバー操作により容器本体内に充填されている粉末消火薬剤を放出ホース８から放出して散布する粉末消火薬剤散布器において、放出ホースの先端に設けられているノズル７に、バタフライバルブ１０を内蔵したホーンを装着し、バタフライバルブの開度を変更することにより、ホーン内を流れる粉末消火薬剤の流速を調整し、粉末消火薬剤の流速を金属火災の場合には金属火災に適した流速に、そして、Ｂ火災の場合にはＢ火災に適した流速に、容易に且つ確実に調整することにより金属火災及びＢ火災のいずれにも対応できるようにした。【選択図】図１
0003214041.tif 000002
【実用新案登録請求の範囲】
【請求項１】
レバー操作により容器本体内に充填されている粉末消火薬剤を放出ホースから放出して散布する粉末消火薬剤散布器において、
前記放出ホースの先端に設けられているノズルに、バタフライバルブを内蔵したホーンを装着したことを特徴とする粉末消火薬剤散布器。
【請求項２】
前記容器本体は、アルミニウム製であることを特徴とする請求項１に記載の粉末消火薬剤散布器。
【考案の詳細な説明】
【技術分野】
【０００１】
本考案は、レバー操作により容器本体内に充填されている粉末消火薬剤を放出ホースから放出して散布する粉末消火薬剤散布器であって、金属火災及びＢ火災のいずれにも対応可能な粉末消火薬剤散布器に関するものである。
【背景技術】
【０００２】
Ｂ火災に対応する粉末消火薬剤の消火器として、レバー操作により容器本体内に充填されている粉末消火薬剤を放出ホースから放出する消火器がある（例えば、特許文献１参照。）。
【０００３】
Ｂ火災の消火にあっては、例えば、油の火災の場合、燃焼物の輻射が大きいため、粉末消火薬剤の放出に際し、流速に勢いが必要とされている。このため、粉末消火薬剤を放出するノズルの形状も勢いのある速い流速の放出が得られるような形状となっている。
【０００４】
一方、金属火災の消火にあっては燃焼物上に粉末消火薬剤を堆積させ、窒息効果により消火させるものであり、粉末消火薬剤の放出で燃焼物を吹き飛ばさないように、流速を抑えて放出して散布することが求められる。
【先行技術文献】
【特許文献】
【０００５】
【特許文献１】特開２０１０−１３１０９９号公報
【考案の概要】
【考案が解決しようとする課題】
【０００６】
上記のように、従来のＢ火災の消火に対応する消火器は、粉末消火薬剤を勢いよく放出するようになっているため、粉末消火薬剤が金属火災に対応できる薬剤であっても、金属火災の消火に使用できないといった問題があった。
【０００７】
本考案者等は、金属火災及びＢ火災のいずれにも対応可能な粉末消火薬剤散布器について試験、研究を重ねた結果、放出ホースから放出する粉末消火薬剤の流速を変えられるようにすることに着目し、本考案を成すに至った。
【０００８】
本考案の目的は、金属火災及びＢ火災のいずれにも対応可能な粉末消火薬剤散布器を提供することにある。
【課題を解決するための手段】
【０００９】
上記の目的を達成するために、請求項１に記載の考案は、レバー操作により容器本体内に充填されている粉末消火薬剤を放出ホースから放出して散布する粉末消火薬剤散布器において、前記放出ホースの先端に設けられているノズルに、バタフライバルブを内蔵したホーンを装着したことを特徴とする。
【００１０】
請求項１に記載の考案によれば、前記放出ホースの先端に設けられているノズルに、バタフライバルブを内蔵したホーンを装着したので、前記バタフライバルブの開度を変更することにより、ホーン内を流れる粉末消火薬剤の流速を調整することができ、粉末消火薬剤の流速を金属火災の場合には、金属火災に適した流速に、そして、Ｂ火災の場合には、Ｂ火災に適した流速に容易に且つ確実に調整することにより金属火災及びＢ火災のいずれにも使用することができる。
【００１１】
請求項２に記載の考案は、請求項１に記載の、前記容器本体は、アルミニウム製であることを特徴とする。
【００１２】
請求項２に記載の考案によれば、請求項１に記載の、前記容器本体は、アルミニウム製であるので耐食性に優れ、金属火災やＢ火災の対応が必要な、切削油や切り子・水など様々な状況が混在する金属加工工場での設置に適するものとなる。
【考案の効果】
【００１３】
本考案に係る粉末消火薬剤散布器によれば、金属火災及びＢ火災のいずれにも使用することができるので、金属火災及びＢ火災の消火設備を別個に用意する必要がなく、省スペース化とコストの低減化を図ることができる。
【図面の簡単な説明】
【００１４】
【図１】本考案に係る粉末消火薬剤散布器の実施の形態の一例を示す正面図である。
【図２】ホーンに内蔵したバタフライバルブがホーンの軸心に対し垂直の状態を示す拡大断面図である。
【図３】ホーンに内蔵したバタフライバルブがホーンの軸心に対し水平の状態を示す拡大断面図である。
【考案を実施するための形態】
【００１５】
以下、本考案に係る粉末消火薬剤散布器の実施の形態の一例を図面を参照して詳細に説明する。
【００１６】
図１は本例の粉末消火薬剤散布器を示す正面図、図２はホーンに内蔵したバタフライバルブがホーンの軸心に対し垂直の状態を示す拡大断面図、図３はホーンに内蔵したバタフライバルブがホーンの軸心に対し水平の状態を示す拡大断面図である。
【００１７】
本例の粉末消火薬剤散布器は、粉末消火薬剤を充填したアルミニウム製の容器本体１の口部２にバルブケース３がユニオン方式のキャップ４で固定されている。バルブケース３には、一端を容器本体１内に開口し他端が容器本体１外に開口する粉末消火薬剤流路５が形成されており、容器本体１内に開口する開口部にサイフォン管６が取り付けられ、容器本体１外に開口する開口部には先端にノズル７を設けた放出ホース８が取り付けられている。
【００１８】
バルブケース３には粉末消火薬剤流路５を開閉する操作レバー９が備えられ、操作レバー９の操作により粉末消火薬剤流路５を開き、粉末消火薬剤を放出ホース８のノズル７から放出するようになっている。
【００１９】
本例では、放出ホース８の先端に設けられているノズル７に、バタフライバルブ１０を内蔵したホーン１１が装着されている。バタフライバルブ１０は、ホーン１１に、ホーン１１内を軸心に対し直交するように取り付けられた回転軸１２に固定されており、回転軸１２の回転に伴って回転し、ホーン１１内を開閉するようになっている。
【００２０】
ホーン１１内におけるバタフライバルブ１０の開閉は、バタフライバルブ１０がホーン１１の軸心に対し垂直の状態のとき全開となり（図２参照。）、バタフライバルブ１０がホーン１１の軸心に対し水平の状態のとき全閉となる（図３参照。）。
【００２１】
バタフライバルブ１０の全閉とは、ホーン１１を完全に閉じた状態を意味していない。バタフライバルブ１０の外径は、ホーン１１内径より小径に形成されており、バタフライバルブ１０が全閉状態のとき、即ち、バタフライバルブ１０をホーン１１の軸心に対し水平の状態にしたとき、ホーン１１の内周面とバタフライバルブ１０の外周縁との間に所定の隙間Ｓができる大きさとなっている。ここでいう所定の隙間Ｓは、ノズル７から放出された粉末消火薬剤の流速が、後述する金属火災に対応する流速として最も抑えられた流速を得る隙間に設定されている。
【００２２】
ホーン１１の外面には、ホーン１１の外面側へ突出させた回転軸１２の端部に、回転軸１２を回転させる操作子１３が設けられており、また、ホーン１１の外面には、操作子１３の操作によるバタフライバルブ１０の開閉角度を表示する開閉角度表示部１４が設けられている。
【００２３】
このように構成された本例の粉末消火薬剤散布器によれば、操作子１３を操作してバタフライバルブ１０の開度を変更することにより、ホーン１１内を流れる粉末消火薬剤の流速を調整することができるので、粉末消火薬剤の流速を金属火災の場合には金属火災に適した流速に、そして、Ｂ火災の場合にはＢ火災に適した流速に、容易に且つ確実に調整することができ、金属火災及びＢ火災のいずれにも使用することができる。
【００２４】
本例では、ホーン１１の外面に、操作子１３の操作によるバタフライバルブ１０の開閉角度を表示する開閉角度表示部１４が設けられているので、開閉角度表示部１４により、バタフライバルブ１０の開度は容易に且つ確実に調整することができる。
【００２５】
また、本例では、容器本体１は、アルミニウム製であるので耐食性に優れ、金属火災やＢ火災の対応が必要な、切削油や切り子・水など様々な状況が混在する金属加工工場での設置に適する。
【符号の説明】
【００２６】
１  容器本体
２  口部
３  バルブケース
４  キャップ
５  粉末消火剤流路
６  サイフォン管
７  ノズル
８  放出ホース
９  操作レバー
１０  バタフライバルブ
１１  ホーン
１２  回転軸
１３  操作子
１４  開閉角度表示部
【図１】
0003214041.tif 000003
【図２】
0003214041.tif 000004
【図３】
0003214041.tif 000005